(57)【要約】【課題】情報処理端末の誤動作を防止する。【解決手段】画像入力情報として、画像を編集可能な第１の画像情報又は画像を編集不可能な第２の画像情報のいずれかが入力される複数設けられた第１の入力手段と、電子ペンにより生成された電子ペン情報が入力される第２の入力手段と、第１の入力手段のいずれかに入力された第１の情報又は第２の情報による画像、及び、第２の入力手段に入力された電子ペン情報による画像を表示する表示手段と、表示手段に第１の情報による画像が表示されているときには電子ペン情報による画像を同時に表示し、表示手段に第２の情報による画像が表示されているときには電子ペン情報による画像が表示されないように表示手段を制御する制御手段と、を備える。【選択図】図１１
2018112926.tif 000002
【特許請求の範囲】
【請求項１】
画像入力情報として、画像を編集可能な第１の画像情報又は画像を編集不可能な第２の画像情報のいずれかが入力される複数設けられた第１の入力手段と、
電子ペンにより生成された電子ペン情報が入力される第２の入力手段と、
前記第１の入力手段のいずれかに入力された前記第１の情報又は前記第２の情報による画像、及び、前記第２の入力手段に入力された前記電子ペン情報による画像を表示する表示手段と、
前記表示手段に前記第１の情報による画像が表示されているときには前記電子ペン情報による画像を同時に表示し、前記表示手段に前記第２の情報による画像が表示されているときには前記電子ペン情報による画像が表示されないように前記表示手段を制御する制御手段と、
を備える表示装置。
【請求項２】
前記複数設けられた第１の入力手段のうち、どの入力手段に入力された画像情報による画像が前記表示手段に表示されているときに前記電子ペン情報による画像を表示するかが予め対応付けられており、
前記電子ペン情報による画像を表示することが予め対応付けられた入力手段に前記第１の情報が入力され、前記表示手段に前記第１の情報による画像が表示されているとき、前記制御手段は、前記表示手段に前記第１の情報による画像と前記電子ペン情報による画像とを同時に表示するように前記表示手段を制御する、請求項１に記載の表示装置。
【請求項３】
前記複数設けられた第１の入力手段のうち、どの入力手段に入力された画像情報による画像が前記表示手段に表示されているときに前記電子ペン情報による画像を表示するかが予め対応付けられており、
前記第１の情報が入力されている入力手段と、前記電子ペン情報による画像を表示することが予め対応付けられた入力手段と、が一致するとき、前記制御手段は、前記表示手段に前記第１の情報による画像と前記電子ペン情報による画像とを同時に表示するように前記表示手段を制御する、請求項１に記載の表示装置。
【請求項４】
前記第１の入力手段に、前記第１の情報と、前記表示手段に前記第１の情報による画像と前記電子ペン情報による画像とを同時に表示するか否かを判断する所定の認証情報と、が入力され、
前記表示手段に前記第１の情報による画像と前記所定の認証情報による画像とが表示され、前記表示手段に入力された前記電子ペン情報による画像が前記所定の認証情報による画像に合致すると、前記制御手段は、前記表示手段に前記第１の情報による画像と前記電子ペン情報による画像とを同時に表示するように前記表示手段を制御する、請求項１に記載の表示装置。
【請求項５】
前記表示手段に前記第２の情報による画像が表示されているとき、前記制御手段は、前記表示手段に前記所定の認証情報による画像を表示しないように前記表示手段を制御する、請求項４に記載の表示装置。
【請求項６】
前記所定の認証情報は、前記第２の入力手段により入力された前記電子ペン情報の前記表示手段における座標位置、前記第２の入力手段により入力された前記電子ペン情報の前記表示手段に対する入力順序、前記第２の入力手段により入力された前記電子ペン情報の前記表示手段に対する入力回数、の少なくとも１つによって定められる、請求項４又は５に記載の表示装置。
【請求項７】
前記入力回数が予め定められた上限値に達すると、前記制御手段は、前記表示手段に前記第１の情報による画像と前記電子ペン情報による画像とを同時に表示するか否かを判断する認証が失敗したと判断する、請求項６に記載の表示装置。
【請求項８】
外部表示手段を少なくとも備えた外部装置との間で通信を行う通信手段をさらに含み、前記通信手段は、前記制御手段により制御される前記表示手段に対する制御情報を前記外部装置へ送信し、前記外部表示手段は前記制御情報によって制御される、請求項１から７の何れか１項に記載の表示装置。
【請求項９】
画像入力情報として、画像を編集可能な第１の画像情報又は画像を編集不可能な第２の画像情報のいずれかが入力される複数設けられた第１の入力手段と、
電子ペンにより生成された電子ペン情報が入力される第２の入力手段と、
前記第１の入力手段のいずれかに入力された前記第１の情報又は前記第２の情報による画像、及び、前記第２の入力手段に入力された前記電子ペン情報による画像を表示する表示手段と、を備えた表示装置の表示方法であって、
前記表示手段に前記第１の情報による画像が表示されているときには前記電子ペン情報による画像を同時に表示し、前記表示手段に前記第２の情報による画像が表示されているときには前記電子ペン情報による画像が表示されないように前記表示手段を制御する工程と、を備える表示方法。
【請求項１０】
画像入力情報として、画像を編集可能な第１の画像情報又は画像を編集不可能な第２の画像情報のいずれかが入力される複数設けられた第１の入力手段と、
電子ペンにより生成された電子ペン情報が入力される第２の入力手段と、
前記第１の入力手段のいずれかに入力された前記第１の情報又は前記第２の情報による画像、及び、前記第２の入力手段に入力された前記電子ペン情報による画像を表示する表示手段と、を備えた表示装置のコンピュータに、
前記表示手段に前記第１の情報による画像が表示されているときには前記電子ペン情報による画像を同時に表示し、前記表示手段に前記第２の情報による画像が表示されているときには前記電子ペン情報による画像が表示されないように前記表示手段を制御する処理と、を実行させるためのプログラム。
【発明の詳細な説明】
【技術分野】
【０００１】
本発明は、表示装置、表示方法、及びプログラムに関するものである。
【背景技術】
【０００２】
至近距離からの投写で大画面表示を実現する画像表示装置として、短焦点型プロジェクター（以下、単にプロジェクターなどという。）等が用いられている。短焦点型プロジェクターを用いることにより、パーソナルコンピュータ（以下、ＰＣともいう。）を一例とする情報処理端末の表示部に表示された画像をスクリーン上に投写することができる。
【０００３】
また、指や電子ペンなどの指示体を用いて表示画面への入力操作を行うことができる電子黒板が提供されている。この電子黒板には、投写画面への入力操作を行うプロジェクタータイプがある。
プロジェクタータイプの電子黒板は、電子ペン、カメラ装置、プロジェクター及びＰＣを有する。プロジェクターは、映像を表示画面に投写する。電子ペンは、先端部にスイッチと発光部とを備え、スイッチが押された状態において、発光部が赤外線を発光するように構成されている。使用者は、電子ペンの先端を表示画面に押し付けることで、スイッチを押して赤外線を発光させることができる。
【０００４】
カメラ装置は、表示画面を含む領域を撮像範囲とし、電子ペンからの赤外線を撮像する。ＰＣは、カメラ装置からの画像情報に基づいて、電子ペンを用いた描画や、描画した絵の消去、アイコンのクリックなどの入力操作を認識する。
ＰＣは、カメラ装置からの画像情報に基づいて、電子ペンの軌跡を示す描画映像信号を生成し、該描画映像信号をプロジェクターに供給する。プロジェクターは、描画映像信号に基づく描画映像を投写する。その結果、投写画面上には、電子ペンの軌跡に応じた描画映像が表示される。なお、ＰＣをプロジェクター内に設けることもできる。
【０００５】
短焦点型プロジェクターにより、ＰＣの表示部に表示された画像が投写されたスクリーンに対して手書きの文字やイラストを入力するため、ユーザが電子ペンを用いて書き込みを行うと、上記したカメラ装置によって、ＰＣに対して当該座標情報や電子ペンのタッチの開始情報及び終了情報が通知される。これにより、ＰＣの表示部において、スクリーン上に投写された画像に対して、マウス操作やペイント機能を実行することができる。
また、近年、情報処理端末の一例として、タブレット端末のように、表示部がタッチパネルとして機能することにより、ユーザによるタッチ操作を受け付けるタブレット型ＰＣも知られている。そして、タブレット型ＰＣの表示部に表示された画像が投写されたスクリーン上に電子ペンを接触させることにより、タブレット型ＰＣの表示部の操作を、スクリーン上で行うことができる。
【０００６】
タブレット型ＰＣの表示部のタッチ操作をスクリーン上の電子ペンの操作により行う場合、スクリーン上の位置座標とタブレット型ＰＣのタッチパネル上の位置座標とを合わせする必要がある。特許文献１には、スクリーンの位置座標と情報処理装置の位置座標との位置合わせを、必要に応じて行う技術が開示されている。
【０００７】
特許文献２には、プロジェクターに、スクリーン上で操作される電子ペンの座標情報と、プロジェクターからスクリーンまでの距離情報とを取得する機能を備えることにより、信号処理器を具備しないホワイトボードであっても、電子ペンのスクリーン上での座標情報を取得する技術が開示されている。
【０００８】
特許文献３には、プロジェクターに備えられた外部インタフェースに、ＰＣ、ネットワーク、ＤＶＤプレーヤ及びビデオレコーダーなどに接続される複数種類の接続端子が設けられていることが開示されている。また、これらの接続端子を、プロジェクターが描画を行う動作モードと、ＰＣが描画を行う動作モードと、の何れかに設定しておくことが開示されている。そして、スクリーンに表示されている表示画像のソースに基づき、スクリーン上の任意の位置を指し示す指示体の移動に応じて座標データの出力先をプロジェクター又はＰＣに切り替える技術が開示されている。
【先行技術文献】
【特許文献】
【０００９】
【特許文献１】特開２０１０−２１１５８９号公報
【特許文献２】特開２００５−１１５８７０号公報
【特許文献３】特開２０１３−０８８８４０号公報
【発明の概要】
【発明が解決しようとする課題】
【００１０】
ＰＣの画面に表示された画像をスクリーン上に投写する場合、ＰＣとプロジェクターとを接続する必要がある。プロジェクターは、一般的に、ミニＤ−Ｓｕｂ（ディー・サブミニチュア）１５ｐｉｎ入力端子、ＨＤＭＩ（High-Definition Multimedia Interface）（登録商標）入力端子、ＵＳＢ（Universal Serial Bus）入力端子等、数種類の入力端子を具備している。また、プロジェクターは、同一種類の入力端子を複数具備している場合もあり、ＰＣの画面をスクリーンに投写する場合、ＰＣの画面に表示される画像情報を、プロジェクターの何れの入力端子に対して供給するかは、ユーザが任意に選択することができる。
プロジェクターが複数種類の入力端子を具備している場合、具体的には、ミニＤ−Ｓｕｂ１５ｐｉｎ入力端子とＨＤＭＩ入力端子を具備している場合について説明する。例えば、ミニＤ−Ｓｕｂ１５ｐｉｎ入力端子に、表示部に表示される画像をスクリーンに投写するＰＣが接続され、ＨＤＭＩ入力端子に、ビデオ画像をスクリーンに投写するブルーレイ（登録商標）・ディスクレコーダーを一例とする画像出力装置が接続される状況が考えられる。なお、プロジェクターが同一種類の複数の入力端子を具備しており、この同一種類の複数の入力端子が、ＰＣと画像出力装置との双方の接続に対応している場合も同様に考えられる。
【００１１】
図１２に、プロジェクターが具備する複数種類の入力端子に対して、ＰＣと画像出力装置とがそれぞれ接続されている状態を示す。
図１２において、プロジェクター１の、例えばＨＤＭＩ入力端子１０１に画像出力装置５が接続され、ミニＤ−Ｓｕｂ１５ｐｉｎ入力端子１０２にＰＣ４が接続され、スクリーン３上にプロジェクター１から投写された画像出力装置５の出力画像が表示されている。このような使用形態は、例えば、ＰＣ４を用いてプレゼンテーションを行っている最中に、そのプレゼンテーションの資料の中に、画像出力装置５に格納されている動画を参照することが記載されている場合などが想定される。この場合、プロジェクター１のミニＤ−Ｓｕｂ１５ｐｉｎ入力端子１０２にＰＣ４を接続したままの状態で、ＨＤＭＩ入力端子１０１に画像出力装置５を接続する。ＰＣ４を用いたプレゼンテーションの途中で、画像出力装置５から出力された動画情報をプロジェクター１に供給し、プロジェクター１から該動画をスクリーン３に投写する。
【００１２】
このとき、ユーザが電子ペン２を用いてスクリーン３の投写面に書き込み操作を行うと、電子ペン２の軌跡が図示しないカメラ装置で撮像される。そして、該軌跡が、例えば無線ＬＡＮ（Local Area network）７を介してＰＣ４の表示部に表示される。
他方、画像出力装置５と接続されるＨＤＭＩ入力端子１０１には、画像出力装置５から出力される画像情報が供給される。ただし、画像出力装置５には、電子ペン２の軌跡に対応する信号は流れない。
スクリーン３にＰＣ４の表示部に表示されている画像が投写されておらず、画像出力装置５から出力される画像が表示されている状態で、ユーザが電子ペン２を用いてスクリーン３の投写面に書き込み操作を行うと、スクリーン３に投写されている画像出力装置５から出力されている画像に変化は生じない。しかしながら、スクリーン３に画像を投写していないＰＣ４に対して、スクリーン３の投写面に対する電子ペン２の書き込み操作に対応する信号が無線ＬＡＮ７を介して流れることにより、ＰＣ４の表示部に電子ペン２の軌跡が表示されるなどといった誤動作が発生するという問題がある。
【００１３】
この問題は、プロジェクターが具備する同一種類の複数の入力端子に対して、複数台のＰＣがそれぞれ接続されている状況でも起こり得る。例えば、１台のプロジェクターに対して３台のＰＣがそれぞれ接続され、１台のプロジェクターを用いて、３名の発表者が各々のＰＣを用いて会議室などでプレゼンテーションを行う場合である。
プロジェクターには３台のＰＣがそれぞれ接続されており、プロジェクターには、３台のＰＣの画像情報がそれぞれ入力されている。そして、どのＰＣから出力される画像情報をプロジェクターが受信してスクリーンに投写するかは、リモートコントローラによってプロジェクターの操作部を操作することにより選択して切り替えられる。また、プロジェクター１の通信部と、３台のＰＣのそれぞれの通信部とは、例えば、無線ＬＡＮによって接続されている。
【００１４】
この状況で、スクリーンには１台目のＰＣ４から出力された画像情報が表示されていると仮定する。このとき、スクリーンの投写面をユーザが電子ペンを用いて書き込み操作を行った場合、この書き込み操作の軌跡が、１台目のＰＣの通信部を経由して１台目のＰＣの表示部に表示されるのに加えて、２台目及び３台目のＰＣの通信部を経由して２台目及び３台目の表示部にも表示されてしまうといった誤動作が発生するという問題もある。
【００１５】
上記特許文献１及び２は、何れもスクリーン上で操作される電子ペンの座標情報を取得することを目的としている。ここで、プロジェクターが複数種類の入力端子を具備しており、一方の入力端子にスクリーンの投写面に書き込み操作を行わない画像を出力する画像出力装置が接続され、他方の入力端子にスクリーンの投写面に書き込み操作を行う画像を出力するＰＣが接続されている場面を考える。
スクリーンの投写面に、書き込み操作を行わない画像出力装置の画像が表示されている場合、ユーザが電子ペンを用いてスクリーンの投写面に書き込み操作を行うと、スクリーンに画像を表示していないＰＣに対して電子ペンの書き込み操作信号が流れ、ＰＣが誤動作する可能性がある。プロジェクターが同一種類の複数の入力端子を具備しており、これら複数の入力端子に、複数台のＰＣがそれぞれ接続されている場合も同様な問題が発生し得る。
また、特許文献３では、複数種類の入力端子を、ＰＣ系インタフェースとプロジェクター系インタフェースとの何れかに分類している。ここで、一方の入力端子にスクリーンの投写面に書き込み操作を行わない画像を出力する画像出力装置が接続され、他方の入力端子にスクリーンの投写面に書き込み操作を行う画像を出力するＰＣが接続されている場面を考える。
スクリーンの投写面に、書き込み操作を行わない画像出力装置の画像が表示されている場合、ユーザが電子ペンを用いてスクリーンの投写面に書き込み操作を行うと、スクリーンに画像を表示していないＰＣに対して電子ペンの書き込み操作信号が流れ、ＰＣが誤動作する点については何ら開示されていない。また、プロジェクターが同一種類の複数の入力端子を具備しており、これら複数の入力端子に、複数台のＰＣがそれぞれ接続されている場合にもＰＣが誤動作し得る点についても何ら開示されていない。
【００１６】
本発明の目的は、上記課題を解決可能な表示装置、表示方法及びプログラムを提供することである。
【課題を解決するための手段】
【００１７】
本発明の表示装置は、画像入力情報として、画像を編集可能な第１の画像情報又は画像を編集不可能な第２の画像情報のいずれかが入力される複数設けられた第１の入力手段と、電子ペンにより生成された電子ペン情報が入力される第２の入力手段と、前記第１の入力手段のいずれかに入力された前記第１の情報又は前記第２の情報による画像、及び、前記第２の入力手段に入力された前記電子ペン情報による画像を表示する表示手段と、前記表示手段に前記第１の情報による画像が表示されているときには前記電子ペン情報による画像を同時に表示し、前記表示手段に前記第２の情報による画像が表示されているときには前記電子ペン情報による画像が表示されないように前記表示手段を制御する制御手段と、を備える。
【００１８】
また、本発明の表示方法は、画像入力情報として、画像を編集可能な第１の画像情報又は画像を編集不可能な第２の画像情報のいずれかが入力される複数設けられた第１の入力手段と、電子ペンにより生成された電子ペン情報が入力される第２の入力手段と、前記第１の入力手段のいずれかに入力された前記第１の情報又は前記第２の情報による画像、及び、前記第２の入力手段に入力された前記電子ペン情報による画像を表示する表示手段と、を備えた表示装置の表示方法であって、前記表示手段に前記第１の情報による画像が表示されているときには前記電子ペン情報による画像を同時に表示し、前記表示手段に前記第２の情報による画像が表示されているときには前記電子ペン情報による画像が表示されないように前記表示手段を制御する工程と、を備える。
【００１９】
さらに、本発明のプログラムは、画像入力情報として、画像を編集可能な第１の画像情報又は画像を編集不可能な第２の画像情報のいずれかが入力される複数設けられた第１の入力手段と、電子ペンにより生成された電子ペン情報が入力される第２の入力手段と、前記第１の入力手段のいずれかに入力された前記第１の情報又は前記第２の情報による画像、及び、前記第２の入力手段に入力された前記電子ペン情報による画像を表示する表示手段と、を備えた表示装置のコンピュータに、前記表示手段に前記第１の情報による画像が表示されているときには前記電子ペン情報による画像を同時に表示し、前記表示手段に前記第２の情報による画像が表示されているときには前記電子ペン情報による画像が表示されないように前記表示手段を制御する処理と、を実行させる。
【発明の効果】
【００２０】
本発明によれば、情報処理端末の誤動作を防止することができる。
【図面の簡単な説明】
【００２１】
【図１】本発明の第１実施形態による表示装置が適用されるシステムの構成を示す模式図である。
【図２】第１実施形態による表示装置を含むシステムを説明する図である。
【図３】第１実施形態の表示装置の表示部又は第２実施形態の情報処理端末の表示部に表示される入力端子の選択画面の一例である。
【図４】本発明の第３実施形態による表示装置に表示される認証用の画像の一例を示す図である。
【図５】第３実施形態による表示装置が適用されるシステムの動作を示すフローチャートである。
【図６】第３実施形態の表示装置によって表示される認証用画面の一例を示す図である。
【図７】第３実施形態の表示装置に認証画面が表示されない場合の状態について説明する図である。
【図８】第３実施形態による表示装置が適用されるシステムの他の動作を示すフローチャートである。
【図９】本発明の第５実施形態による表示装置を含むシステムを説明する図である。
【図１０】本発明の第６実施形態による表示装置を含むシステムを説明する図である。
【図１１】本発明の第７実施形態による表示装置を含むシステムを説明する図である。
【図１２】プロジェクターが具備する複数種類の入力端子に対して、ＰＣと画像出力装置とがそれぞれ接続されている状態を示す図である。
【発明を実施するための形態】
【００２２】
次に、本発明の実施形態について図面を参照して説明する。
（第１実施形態）
初めに、本発明の第１実施形態による表示装置が適用されるシステムの全体構成を説明する。
図１は、本システムの構成を示す模式図である。
図１を参照すると、本システムは、表示装置（以下、プロジェクターともいう。）１と、電子ペン２と、スクリーン３と、情報処理端末（以下、ＰＣともいう。）４と、画像出力装置５と、を含んで構成されている。
図１において、プロジェクター１の、例えばＨＤＭＩ（High-Definition Multimedia Interface）入力端子１０１に画像出力装置５が接続され、ミニＤ−Ｓｕｂ（ディー・サブミニチュア）１５ｐｉｎ入力端子１０２にＰＣ４が接続され、スクリーン３上にプロジェクター１から投写された画像出力装置５の出力画像が表示されている。
【００２３】
図２は、第１実施形態によるプロジェクターを含むシステムを説明する図である。図２に示すように、本実施形態が適用されるプロジェクター１は、投写部１１と、カメラ１２と、通信部１３と、映像入力部１４と、記憶部１５と、操作部１６と、情報処理部１７と、を含んで構成されている。
【００２４】
プロジェクター１は、例えば、超短焦点型のプロジェクターであり、映像入力部１４として、少なくとも、Ｄ−Ｓｕｂ１５Ｐｉｎ入力端子、ＨＤＭＩ入力端子を備えている。映像入力部１４は、これ以外の映像入力端子を備えていても構わない。
投写部１１は、ＰＣ４又は画像出力装置５から入力された画像情報をスクリーン３に投写する機能を有する。
カメラ１２は、電子ペン２の先端部から発せられる赤外線を受光する。カメラ１２が赤外線を受光することにより、プロジェクター１は、スクリーン３上の位置座標とカメラ１２とのキャリブレーション処理を予め実行することができる。そして、カメラ１２で取得したスクリーン３上の位置座標を、通信部１３、４２を介してＰＣ４に送信する。これにより、ＰＣ４は、スクリーン３上での電子ペン２のタッチの開始情報及び終了情報、並びにスクリーン３上での電子ペン２の座標情報を取得することができる。
通信部１３は、ＰＣ４の通信部４２との間で通信を行うものである。通信部１３と通信部４２とは、電子ペン２のタッチの開始情報及び終了情報、スクリーン３上での電子ペン２の座標情報、並びにプロジェクター１とＰＣ４との間の制御コマンドを送受信する。本実施形態では、プロジェクター１とＰＣ４とが、無線ＬＡＮ７で接続されている場合を例に挙げて説明するが、無線、有線を問わず、その他の通信方式であってもよい。
【００２５】
映像入力部１４は、ＨＤＭＩケーブルを一例とする映像・音声・制御信号を伝送するケーブルを介して、画像出力装置５の映像出力部５１と接続されている。また、映像入力部１４は、ＰＣ４と接続するＤ−Ｓｕｂ１５Ｐｉｎケーブルを一例とする映像・音声信号を伝送するケーブルを介して、ＰＣ４の映像出力部４４と接続されている。映像信号入力部１４には、ＰＣ４から供給される電子ペン２による書き込み操作が行われる画像情報と、画像出力装置５から供給される電子ペン２による書き込み操作が行われない画像情報とが、それぞれ供給される。
記憶部１５は、プロジェクター１の動作全体を制御するためのプログラムを格納している。また、記憶部１５は、投写部１１の投写位置や光源の出力、ＰＣ４や画像出力装置５から出力された画像情報を一時的に記憶したり、後述する入力端子設定情報を格納する機能を有する。
操作部１６は、スイッチやボタンなどで構成され、プロジェクター１に所定の動作を行わせるためにユーザが操作するものである。
ユーザは、プロジェクター１の映像入力部１４に設けられている複数の入力端子の中から、操作部１６を操作することにより、スクリーン３への投写対象となる画像情報が入力されている入力端子を選択する。Ｄ−Ｓｕｂ１５Ｐｉｎケーブルが接続されている入力端子を選択することにより、スクリーン３上に、ＰＣ４から出力された画像情報を投写することができる。
本実施形態では、ＰＣ４から出力された画像情報が、プロジェクター１のＤ−Ｓｕｂ１５Ｐｉｎ入力端子に接続されている場合を例に挙げて説明するが、プロジェクター１が具備するＰＣを接続可能な映像入力端子であれば、如何なる入力端子であってもよい。
情報処理部１７は、記憶部１５に格納されているプログラムをロードし、プロジェクター１の動作全体を制御する。
【００２６】
電子ペン２は、先端部を押し付けることで赤外線を発光する機能を備えている。ユーザがスクリーン３上を電子ペン２でタッチすることにより、上記したキャリブレーション処理が実行され、スクリーン３の位置座標とＰＣ４の表示部４１の位置座標との位置合わせが行われる。
スクリーン３は画像を投射することができ、電子ペン２を用いた書き込みを行うことができるものであれば、どのような構造のものであってもよい。例えば、スクリーン３として、壁などの構造体を用いることができる。
本実施形態では、プロジェクター１として超短焦点型を一例に挙げて説明しているが、プロジェクター１は、超短焦点型に限定されない。なお、超短焦点型とは、投写距離が極めて短い、すなわち、通常のプロジェクターと比較して、プロジェクター１とスクリーン３との間を短距離で、スクリーン３上に画像を表示することができるプロジェクターである。
【００２７】
ＰＣ４は、表示部４１と、通信部４２と、情報処理部４３と、映像出力部４４と、記憶部４５と、操作部４６と、を含んで構成されている。
表示部４１は、ＬＣＤ（Liquid Crystal Display）等で構成される表示画面であり、ＬＣＤとタッチパネルとが一体となったタッチパネルディスプレイであっても良い。指やペンをタッチパネルディスプレイに接触させてデータ入力やコマンド入力といった操作を行うことができる。
通信部４２は、プロジェクター１の通信部１３との間で通信を行うものである。通信部４２と通信部１３とは、電子ペン２のタッチの開始情報及び終了情報、スクリーン３上での電子ペン２の座標情報、並びにプロジェクター１とＰＣ４との間の制御コマンドを送受信する。本実施形態では、ＰＣ４とプロジェクター１とが、無線ＬＡＮ７で接続されている場合を例に挙げて説明するが、無線、有線を問わず、その他の通信方式であってもよい。
情報処理部４３は、記憶部４５に格納されているプログラムをロードし、ＰＣ４の動作全体を制御するものである。
映像出力部４４は、プロジェクター１の映像入力部１４の一例であるＤ−Ｓｕｂ１５Ｐｉｎ入力端子に接続されており、映像入力部１４に対して映像・音声信号を伝送する。
情報処理端末４は、スクリーン３の投写面に電子ペン２による書き込み操作を行う画像情報（以下、編集可能な画像情報ともいう。）をプロジェクター１に対して送出する。
記憶部４５は、ＰＣ４の動作全体を制御するプログラム以外に、アプリケーションプログラムを格納している。このプログラムを実行することで、ＰＣ４の通信部４２がプロジェクター１の通信部１３との間で通信を行い、スクリーン３に対する電子ペン２の書き込み操作情報や、使用しているプロジェクター１の入力端子の種類などの情報を、プロジェクター１から取得することができる。
また、このアプリケーションプログラムは、電子ペン２を操作することによってＰＣ４の操作を実現するためのプログラムを含む。例えば、ユーザはスクリーン３上で電子ペン２を用いた書き込み操作を行うことで、ＰＣ４の表示部４１上でのマウス操作やタッチ操作など、ＰＣ４の操作を行うことができる。アプリケーションプログラムが起動し、ＰＣ４とプロジェクター１との間の通信が確立すると、プロジェクター１はＰＣ４に対して電子ペン２の書き込み操作情報の送信を開始する。また、アプリケーションプログラムの終了時には、ＰＣ４からプロジェクター１に対して通信の切断を通知し、プロジェクター１は、電子ペン２の書き込み操作情報の送信を終了する。
【００２８】
操作部４６は、キーボード、マウス、タッチパネルなどを含み、ユーザは操作部４６を用いてＰＣ４を操作することができる。操作部４６は、入力操作に応じた指示信号を情報処理部４３に供給する。なお、表示部４１と操作部４６は、ＬＣＤとタッチパネルとが一体となったタッチパネルディスプレイであっても良い。この場合、キーボードやマウスといった入力装置に代えて、指やペンをタッチパネルディスプレイに接触させてデータ入力やコマンド入力などの操作を行うことができる。
【００２９】
画像出力装置５は、映像出力部５１と、記憶部５２と、情報処理部５３と、を含む。
映像出力部５１は、記憶部５２に格納された画像情報をプロジェクター１の映像入力部１４に対して出力する機能を有する。
記憶部５２は、画像出力装置５の動作全体を制御するプログラム以外に、画像出力装置５がプロジェクター１に供給する画像情報を格納している。
情報処理部５３は、記憶部５２に格納されているプログラムをロードし、画像出力装置５の動作全体を制御するものである。
画像出力装置５は、スクリーン３の投写面に電子ペン２による書き込み操作が行われない画像情報（以下、編集不可能な画像情報ともいう。）をプロジェクター１に対して送出する。画像出力装置５の映像出力部５１は、プロジェクター１の映像入力部１４の一例であるＨＤＭＩ入力端子に対して画像情報を供給している。
【００３０】
次に、第１実施形態の具体例について説明する。図３は、第１実施形態の表示装置によって表示される入力端子の選択画面の一例を示す図である。
プロジェクター１の動作を遠隔制御する図示しないリモートコントローラを用いてプロジェクター１を操作する。そして、プロジェクター１のメニュー画面をスクリーン３の投写面に表示させ、メニュー画面の中からオンスクリーンメニューを選択する。オンスクリーンメニューを選択すると、情報処理部１７は、スクリーン３の投写面にオンスクリーンメニューを表示するよう投写部１１を制御する。
このオンスクリーンメニューの中に、プロジェクター１に予め備えられている複数種類の入力端子のうち、電子ペン２の操作を有効にする入力端子に対してチェックマークを入れる設定画面を設けておく。例えば、プロジェクター１が備える入力端子が、Ｄ−Ｓｕｂ１５Ｐｉｎ入力端子（オンスクリーンメニュー上は、「ＣＯＭＰＵＴＥＲ」と表記されている。）、ＨＤＭＩ１入力端子及びＨＤＭＩ２入力端子であった場合について説明する。なお、プロジェクター１が同一種類の複数の入力端子を具備しており、この同一種類の複数の入力端子が、ＰＣと画像出力装置との双方の接続に対応している場合も同様に考えられる。
【００３１】
図３に示すように、電子ペン２の操作を有効にする入力端子のチェックボックスに、図示しないリモコンを用いてチェックマークを入力する。ここで、ユーザは、ＰＣ４から出力される画像情報がスクリーン３に投写されている場合に、スクリーン３の投写面における電子ペン２の書き込み操作情報をＰＣ４に送信することを予め認識している。ユーザは、図３の「ＣＯＭＰＵＴＥＲ」の入力端子にのみチェックマークを入力する。これにより、プロジェクター１のＤ−Ｓｕｂ１５Ｐｉｎ入力端子に入力された画像情報がスクリーン３に投写されている場合に限り、スクリーン３の投写面における電子ペン２の書き込み操作情報が、無線ＬＡＮ７を介してＰＣ４へ送信される。一方、「ＨＤＭＩ１」、「ＨＤＭＩ２」の各入力端子にはチェックマークが入力されていない。これにより、プロジェクター１のＨＤＭＩ１入力端子及びＨＤＭＩ２入力端子に入力された画像情報がスクリーン３に投写されている場合は、スクリーン３の投写面における電子ペン２の書き込み操作情報は、ＰＣ４へ送信されない。
そして、図３に示した電子ペンの操作を有効にする入力端子を選択した設定内容を、入力端子設定情報としてプロジェクター１の記憶部１５に格納しておく。
【００３２】
図３の設定により、プロジェクター１は、映像入力部１４に対して、画像出力装置５からの画像情報と、ＰＣ４からの画像情報とが供給されている場合でも、ＰＣ４から提供される画像情報がスクリーン３に投写されている場合に限り、電子ペン２の書き込み操作情報がＰＣ４へ送信されることになる。
要するに、プロジェクター１は、映像入力部１４に対して、画像出力装置５からの画像情報と、ＰＣ４からの画像情報とが供給されており、ＨＤＭＩ１又はＨＤＭＩ２入力端子に画像出力装置５から供給される画像情報がスクリーン３に投写されている場合、スクリーン３の投写面における電子ペン２の書き込み操作情報をＰＣ４に送信しない。これにより、ＰＣ４が誤動作を防止することができる。
【００３３】
（第２実施形態）
本発明の第２実施形態の表示装置が適用されるシステムは、基本的には図２に示した構成を有するものであるが、プロジェクター１の動作とＰＣ４の動作とが第１実施形態と異なる。
具体的には、ＰＣ４の記憶部４５に格納されたアプリケーションプログラムにより、ＰＣ４の表示部４１、操作部４６を用いて、スクリーン３の投写面における電子ペン２の書き込み操作情報の送信を許可するプロジェクター１の入力端子を、ユーザに予め選択させる。ＰＣ４のアプリケーションプログラムにより、ＰＣ４はプロジェクター１との間の通信を、通信部４２、１３を介して確立した後、プロジェクター１が保有している映像入力部１４の入力端子のリスト情報を制御コマンドにより取得する。ＰＣ４は、取得した入力端子のリスト情報に基づいて、上記第１の実施形態で説明した図３の画面を、ＰＣ４の表示部４１に表示する。
【００３４】
ＰＣ４の操作部４６を用いて表示部４１に表示された入力端子毎のチェックマークの有無を変更すると、ＰＣ４のアプリケーションプログラムにより、入力端子毎のチェックマークの有無情報を、通信部４２、１３を介して制御コマンドによりプロジェクター１に対して通知する。
プロジェクター１は、通知されたチェックマークの有無情報を記憶部１５に格納する。プロジェクター１の情報処理部１７は、スクリーン３に投写している画像情報の入力端子に対するチェックマークの有無に基づいて、スクリーン３の投写面における電子ペン２の書き込み操作情報を入力端子に接続されている装置に対して送信するか否かを判断する。
【００３５】
（第３実施形態）
本発明の第３実施形態の表示装置が適用されるシステムは、基本的には図２に示した構成を有するものであるが、プロジェクター１の動作とＰＣ４の動作とが第１実施形態と異なる。
具体的には、ＰＣ４のアプリケーションプログラムにより、スクリーン３に対して書き込まれた書き込み操作情報を、ＰＣ４に対して送信するか否かを判断するための認証用の任意の画像をＰＣ４の表示部４１に表示する。そして、この認証用の任意の画像情報を、ＰＣ４がプロジェクター１を介してスクリーン３に投写させる画像情報に重畳して、ＰＣ４からプロジェクター１に対して送信する。スクリーン３の投写面において、プロジェクター１から投写された画像に対し、例えば、該認証用の任意の画像が示す順番通りに電子ペン２の書き込み操作が行われると、以後、電子ペン２の書き込み操作情報をＰＣ４に対して送信する。
ＰＣ４のアプリケーションプログラムにより、認証用の任意の画像を生成し、ＰＣ４の表示部４１に表示するタイミングとしては、例えば、次のようなタイミングが考えられる。例えば、ＰＣ４とプロジェクター１との間の通信が、通信部４２、１３を介して確立している状態で、ＰＣ４のプログラムが起動したときや、ＰＣ４のアプリケーションプログラムの実行中に、プロジェクター１の入力端子の切り替えが発生したときなどである。ＰＣ４は、通信部４２、１３を介して制御コマンドを用いて認証が必要になった旨をプロジェクター１に対して通知する。
【００３６】
ＰＣ４のプログラムにより、認証用の画像として、例えば、図４に示す画像が生成され、ＰＣ４の表示部４１に表示される。また、スクリーン３において、認証用の画像である（Ａ）から（Ｃ）の位置を、符号順に、所定の回数だけ、電子ペン２を用いて書き込み操作を行うことによる認証が必要になった旨を、ＰＣ４は、通信部４２、１３を介して制御コマンドを用いてプロジェクター１に通知する。なお、（Ａ）から（Ｃ）の座標位置は、毎回ランダムな位置に生成するようにしてもよい。
【００３７】
プロジェクター１が、Ｄ−Ｓｕｂ１５Ｐｉｎ入力端子に入力されたＰＣ４の画像情報をスクリーン３に投写していると、例えば、図６に示すように該認証用の画像（（Ａ）から（Ｃ））がスクリーン３に表示される。ユーザは、スクリーン３上を、認証できたと判断される該認証用の画像が示す符号順に電子ペン２を用いて書き込み操作を行う。
プロジェクター１は、認証が必要になったことがＰＣ４の制御コマンドにより通知されると、ＰＣ４に対する電子ペン２の書き込み操作情報の送信を停止する。そして、情報処理部１７は、カメラ１２で取得した電子ペン２の書き込み操作情報と、ＰＣ４の制御コマンドにより通知された認証情報とを比較する認証処理を実行する。
認証情報と、電子ペン２の座標位置、電子ペン２の入力順序、電子ペン２の入力回数の少なくとも１つからなる書き込み操作情報とが合致すれば、情報処理部１７は、認証できたと判断する。以後、プロジェクター１の入力端子が切り替えられるまで又はＰＣ４のアプリケーションプログラムの実行が終了するまで、スクリーン３の投写面における電子ペン２の書き込み操作情報をＰＣ４に対して送信する。
【００３８】
プロジェクター１は、カメラ１２によって電子ペン２の書き込み操作情報を取得したとしても、情報処理部１７において認証が確認できたと判断されるまで、該書き込み操作情報をＰＣ４に対して送信しない。プロジェクター１の情報処理部１７は、プロジェクター１の入力端子の切り替えが発生した場合も、認証が必要になった旨を、制御コマンドによってＰＣ４のアプリケーションプログラムに通知する。ＰＣ４のアプリケーションプログラムは、起動時と同様に認証用の画像を生成して、認証処理を実行する。
これにより、ＰＣ４の画像情報がスクリーン３に投写されており、認証が確認できたと判断された場合に限り、電子ペン２の書き込み操作情報がＰＣ４の表示部４１に送信されることになる。
【００３９】
例えば、プロジェクター１において画像出力装置５から出力された画像情報をスクリーン３に投写するため、画像出力装置５から出力された画像情報をＨＤＭＩ入力端子に接続する操作を行った場合、ＰＣ４は認証用の画像を生成して表示部４１に表示する。しかしながら、図７に示すように該認証用の画像はスクリーン３上には投写されないので、ユーザは、スクリーン３上で電子ペン２を如何なる順序でどのように書き込めば認証できたと判断されるかを知ることができない。
したがって、ユーザが、認証できたと判断される認証用の画像の座標位置、入力順序、入力回数の通りに電子ペン２をスクリーン３上で操作することは、偶々一致する場合以外に起こり得ない。これにより、画像出力装置５から供給される画像情報がスクリーン３に投写されている場合、スクリーン３の投写面における電子ペン２の書き込み操作情報をＰＣ４に送信しないので、ＰＣ４の誤動作を防止することができる。
【００４０】
図５は、第３実施形態による表示装置が適用されるシステムの動作を示すフローチャートである。
図５を参照すると、ステップＳ５０１で、ＰＣ４からプロジェクター１に対して認証用の画像が出力される。認証用の画像の例は図４に示したとおりである。図４には、ＰＣ４の表示部４１に表示される認証用の画像の一例として、（Ａ）、（Ｂ）、（Ｃ）の３点からなり、この符号順にタッチされた場合に認証できたと判断される認証用の画像が示されている。
ステップＳ５０２の処理で、ＰＣ４からプロジェクター１に対して、認証用の画像情報が、ＰＣ４のアプリケーションプログラムの制御コマンドを用いて送信される。認証用の情報は、例えば、図４に記載されている“符号順に電子ペンでタッチしてください”といった情報である。
【００４１】
ステップＳ５０３の処理で、プロジェクター１のカメラ１２は、電子ペン２のタッチ検出を行う。
ステップＳ５０４の処理で、プロジェクター１のカメラ１２は、電子ペン２が、スクリーン３の符号（Ａ）の位置でタッチされたか否かを判断する。符号（Ａ）の位置でタッチされた（ステップＳ５０４：ＹＥＳ）と判断されると、ステップＳ５０５の処理へ移行する。符号（Ａ）の位置でタッチされない（ステップＳ５０４：ＮＯ）と判断されると、ステップＳ５０３の処理へ戻り、プロジェクター１のカメラ１２は、電子ペン２のタッチ検出を行う。
【００４２】
ステップＳ５０５の処理で、プロジェクター１のカメラ１２は、電子ペン２のタッチ検出を行う。
ステップＳ５０６の処理で、プロジェクター１のカメラ１２は、電子ペン２が、スクリーン３の符号（Ｂ）の位置でタッチされたか否かを判断する。符号（Ｂ）の位置でタッチされた（ステップＳ５０６：ＹＥＳ）と判断されると、ステップＳ５０７の処理へ移行する。符号（Ｂ）の位置でタッチされない（ステップＳ５０６：ＮＯ）と判断されると、ステップＳ５０３の処理へ戻り、プロジェクター１のカメラ１２は、電子ペン２のタッチ検出を行う。
【００４３】
ステップＳ５０７の処理で、プロジェクター１のカメラ１２は、電子ペン２のタッチ検出を行う。
ステップＳ５０８の処理で、プロジェクター１のカメラ１２は、電子ペン２が、スクリーン３の符号（Ｃ）の位置でタッチされたか否かを判断する。符号（Ｃ）の位置でタッチされた（ステップＳ５０８：ＹＥＳ）と判断されると、ステップＳ５０９の処理へ移行する。符号（Ｃ）の位置でタッチされない（ステップＳ５０８：ＮＯ）と判断されると、ステップＳ５０３の処理へ戻り、プロジェクター１のカメラ１２は、電子ペン２のタッチ検出を行う。
【００４４】
ステップＳ５０９の処理において、プロジェクター１は、ＰＣ４に対して、認証が完了したことを、制御コマンドを用いて通知する。
ステップＳ５１０の処理において、プロジェクター１は、カメラ１２で取得したスクリーン３の投写面における電子ペン２の書き込み操作情報を、ＰＣ４に送信開始して処理を終了する。
【００４５】
図６は、スクリーン３の投写面で操作された電子ペン２の書き込み操作情報と、符号（Ａ）、（Ｂ）、（Ｃ）の順序からなる認証用の画像とが一致したため、プロジェクター１の情報処理部１７において認証できたと判断され、ユーザが電子ペン２でスクリーン３の投写面で行った書き込み操作情報が、ＰＣ４に対して送信される状態を示している。
【００４６】
なお、認証用の画像としては、符号（Ａ）から符号（Ｅ）などといったように認証の符号数を任意の数に増加したり、特定の線分や図形の描画を要求したりするなどして、認証をより強固にし、さらにＰＣ４の誤動作防止の効果を高めることも考えられる。また、ＰＣ４の認証用の画像は、認証が確認できたと判断されるまで表示部４１に表示し続けてもよい。さらに、一定時間のタイムアウトを設けたり、認証用の符号の座標位置、認証用の符号の入力順序が、所定の入力回数誤った場合には認証が失敗したと判断したりすることで、通常の画面に戻すようにしてもよい。
【００４７】
認証ポイント数をｎとした場合の、本実施形態による表示装置が適用されるシステムの動作を図８のフローチャートを用いて説明する。
ステップＳ８０１、ステップＳ８０２の処理は、図５のステップＳ５０１、ステップＳ５０２の処理と同様であるので、説明を省略する。
ステップＳ８０３の処理において、認証ポイント（ｉ）を、例えば符号（Ｂ）の位置に設定する。
ステップＳ８０４の処理において、プロジェクター１のカメラ１２は、電子ペン２のタッチ検出を行う。
ステップＳ８０５の処理で、プロジェクター１のカメラ１２は、電子ペン２が、スクリーン３の投写面の（ｉ）の位置でタッチされたか否かを判断する。（ｉ）の位置でタッチされた（ステップＳ８０５：ＹＥＳ）と判断されると、ステップＳ８０７処理へ移行する。（ｉ）の位置でタッチされない（ステップＳ８０５：ＮＯ）と判断されると、ステップＳ８０６の処理へ戻る。
【００４８】
ステップＳ８０６の処理において、タッチ検出回数が上限に到達したか否かが判断される。タッチ検出回数が上限に到達した（ステップＳ８０６：ＹＥＳ）と判断されると、ステップＳ８１０の処理へ移行する。タッチ検出回数が上限に到達していない（ステップＳ８０６：ＮＯ）と判断されると、ステップＳ８０３の処理へ戻り、認証ポイント（ｉ）を、例えば（Ｂ）の位置に設定する。
【００４９】
ステップＳ８０７の処理において、認証ポイント（ｉ）の数をインクリメントする。
ステップＳ８０８の処理において、認証ポイントの数（ｉ）が、ｎ（最大値）を超えたか否かを判断する。ここで、例えば、ｎは、１以上の正の整数であり、認証ポイントの数（ｎ）が、ｎを超えていない（ステップＳ８０８：ＮＯ）と判断されると、ステップＳ８０４の処理へ戻り、プロジェクター１のカメラ１２は、電子ペン２のタッチ検出を行う。
認証ポイントの数（ｉ）が、ｎを超えた（ステップＳ８０８：ＹＥＳ）と判断されると。ステップＳ８０９の処理へ移行する。
ステップＳ８０９、ステップＳ８１１の処理は、図５のステップＳ５０９、ステップＳ５１０の処理と同様であるので、説明を省略する。
ステップＳ８１０の処理において、プロジェクター１は、ＰＣ４に対して認証が失敗したことを、通信部１３、４２を介して制御コマンドにより通知して処理を終了する。
【００５０】
この認証用の画像を用いた手法によれば、電子ペン２の書き込み操作を行う画像がスクリーン３に投写されていないときに、認証用の画像の座標位置、入力順序、入力回数の通りに電子ペン２をスクリーン３上で操作することは、偶々一致する場合以外に起こり得ない。したがって、ＰＣ４の誤動作を防ぐことが可能となる。
すなわち、図７に示すように、認証用の画像は、ＰＣ４の表示部４１に表示されている「（Ａ）、（Ｂ）、（Ｃ）の符号順に電子ペンでタッチしてください」というものである。しかしながら、スクリーン３には、画像出力装置５から出力された画像が表示されており、認証用の画像は全く表示されていない。したがって、ユーザが、電子ペン２を使用してスクリーン３の投写面に書き込み操作を行ったとしても、認証用の画像の座標位置座標位置、入力順序、入力回数の通りに電子ペン２をスクリーン３上で操作することは、偶々一致する場合を除き起こり得ない。
【００５１】
また、本実施形態においても、上記第１又は第２の実施形態のように、認証が完了した入力端子を、入力端子設定情報としてプロジェクター１の記憶部１５に格納するようにしても良い。これにより、一旦認証が完了した入力端子は、入力端子の切り替えが発生し、再度認証用の画像が表示された場合でも、再度認証処理を実行する必要はなく、電子ペン２の書き込み操作をＰＣ４に対して送信することができる。また、認証が完了した入力端子設定情報は、プロジェクター１の電源をオフするとき、又はＰＣ４との間の通信が切断されたとき、リセットされるようにすることが望ましい。
【００５２】
（第４実施形態）
上記実施形態では、予め選択された入力端子に接続されている装置に対して電子ペン２の書き込み操作情報を送信したり、認証用の画像通りに電子ペン２がスクリーン３の投写面で操作された場合には電子ペン２の書き込み操作情報を送信することとしている。すなわち、初期状態が、電子ペン２の書き込み操作情報を送信しない、という状態になっている。
これに対して、本実施形態では、プロジェクター１は、電子ペン２の書き込み操作情報を、通信部１３、４２を介してＰＣ４に対して常時送信することとしている。そして、ＰＣ４側において、受信した電子ペン２の書き込み操作情報を、表示部４１において表示させるか否かを判断することとしている。
【００５３】
例えば、上記第２実施形態で説明したように、ＰＣ４の記憶部４５に格納されたプログラムにより、図３で説明したように、電子ペン２の書き込み操作情報の送信を許可するプロジェクター１の入力端子に対して、予めチェックマークを入力しておく。
プロジェクター１は、入力端子の切り替えが発生すると、どの入力端子に切り替えられたかという情報を、通信部１３、４２を介して制御コマンドによりＰＣ４に送信する。ＰＣ４の情報処理部４３は、スクリーン３に投写中の画像情報が入力されているプロジェクター１の入力端子の情報を、プロジェクター１から受信する。情報処理部４３は、アプリケーションプログラムにより、プロジェクター１から受信した入力端子の情報と、予め入力された電子ペン２の書き込み操作情報の送信の許否を示すチェックマークの有無とを比較する。
プロジェクター１から受信した入力端子の情報と、チェックマークが入力されているプロジェクター１の入力端子の情報とが一致している場合のみ、プロジェクター１から受信した電子ペン２の書き込み操作情報を、ＰＣ４の表示部４１に表示する。
【００５４】
（第５実施形態）
第５実施形態の表示装置が適用されるシステムの全体構成を、図９を用いて説明する。
第５実施形態の表示装置が適用されるシステムは、図２に示した構成のうち、画像出力機能を有する画像出力装置５の機能と、ＰＣ４の機能とが一体化している点である。
具体的には、ＰＣ４０は、図２で説明したＰＣ４の機能と画像出力装置５の機能とを一体化した構成を有している点である。
すなわち、記憶部４５には、図２の画像出力装置５の記憶部５２に格納されているプロジェクター１に供給する画像情報も格納されており、映像出力部４４はプロジェクター１の映像入力部１４に接続されている。
したがって、図２の画像出力装置５から出力される編集不可能な画像情報と、ＰＣ４０から出力される編集可能な画像情報とが、ＰＣ４０の映像出力部４４から出力される。
【００５５】
（第６実施形態）
図１０は、本発明の第６実施形態による表示装置が適用されるシステムを説明する図である。
第６実施形態は、プロジェクター１に対して３台のＰＣ４Ａ、ＰＣ４Ｂ、ＰＣ４Ｃがそれぞれ接続されている場合を示している。例えば、１台のプロジェクター１を用いて、３名の発表者が各々ＰＣを持参して会議室などでプレゼンテーションを行う場合などの状況が想定される。
このとき、プロジェクター１の映像入力部１４には、ＰＣ４Ａの映像出力部４４Ａ、ＰＣ４Ｂの映像出力部４４Ｂ、ＰＣ４Ｃの映像出力部４４Ｃがそれぞれ接続されており、映像入力部１４には、ＰＣ４Ａ、ＰＣ４Ｂ、及びＰＣ４Ｃの画像情報がそれぞれ入力される。
そして、どのＰＣ４から出力される画像情報をプロジェクター１が受信してスクリーン３に投写するかは、図示しないリモートコントローラによってプロジェクター１の操作部１６を操作することにより選択して切り替えられる。
また、プロジェクター１の通信部１３と、ＰＣ４Ａの通信部４２Ａ、ＰＣ４Ｂの通信部４２Ｂ、ＰＣ４Ｃの通信部４２Ｃとは、例えば、上記した無線ＬＡＮによって接続されている。なお、通信手段は無線ＬＡＮに限定されないことは勿論である。
【００５６】
この状況で、スクリーン３には、ＰＣ４Ａから出力された画像情報が表示されていると仮定する。このとき、スクリーン３の投写面をユーザが電子ペン２を用いて書き込み操作を行った場合、この書き込み操作の軌跡が、通信部１３、４２Ａを経由してＰＣ４Ａの表示部４１Ａに表示され、ＰＣ４Ｂ、ＰＣ４Ｃの表示部４１Ｂ、４１Ｃに表示されないようにするには、例えば、以下の２つの方法が考えられる。
【００５７】
第１の方法は、図３に示したような入力端子の選択画面の端子名を、「ＰＣ４Ａ」、「ＰＣ４Ｂ」、「ＰＣ４Ｃ」とし、「ＰＣ４Ａ」にのみチェックマークを入力する。これにより、ＰＣ４Ａの画像情報がスクリーン３に投写されている場合に限り、スクリーン３の投写面における電子ペン２の書き込み操作情報がＰＣ４Ａに対して送信され、ＰＣ４Ｂ、ＰＣ４Ｃに対しては送信されない。ＰＣ４Ｂ、ＰＣ４Ｃについても同様に、電子ペン２の書き込み操作情報を送信する情報処理端末の端子名にチェックマークを入力することで対応できる。
【００５８】
第２の方法は、プロジェクター１の通信部１３と無線ＬＡＮ通信を行うことが可能な情報処理端末を１台に設定し、プロジェクター１の通信部１３と無線ＬＡＮ通信を行うことが可能な情報処理端末にのみ電子ペン２の書き込み操作情報を送信するようにする。
例えば、プロジェクター１の通信部１３と無線ＬＡＮ通信を行うことが可能な情報処理端末をＰＣ４Ａとし、ＰＣ４Ａの画像情報がスクリーン３に投写されている場合に限り、スクリーン３の投写面における電子ペン２の書き込み操作情報がＰＣ４Ａに対して送信され、ＰＣ４Ｂ、ＰＣ４Ｃに対しては送信されないようにする。ＰＣ４Ｂ又はＰＣ４Ｃについても同様に、電子ペン２の書き込み操作情報を送信するＰＣ４Ｂの通信部４２Ｂ又はＰＣ４Ｃの通信部４２Ｃと、プロジェクター１の通信部１３との間で無線ＬＡＮ通信を行うように設定することで対応できる。
【００５９】
（第７実施形態）
図１１は、本発明の第７実施形態による表示装置が適用されるシステムを説明する図である。
第７実施形態の表示装置は、情報処理端末４００又は画像出力装置５００から出力される情報を、表示部３００に表示する表示装置１００である。
具体的には、図１１に示すように、画像入力情報として、画像を編集可能な第１の画像情報又は画像を編集不可能な第２の画像情報のいずれかが入力される複数設けられた第１の入力部１４１、１４２、・・・、１４ｎと、電子ペン２００により生成された電子ペン情報が入力される第２の入力部１８０と、第１の入力部１４１、１４２、・・・、１４ｎのいずれかに入力された第１の情報又は第２の情報による画像、及び、第２の入力部１８０に入力された電子ペン情報による画像を表示する表示部３００と、表示部３００に第１の情報による画像が表示されているときには電子ペン情報による画像を同時に表示し、表示部３００に第２の情報による画像が表示されているときには電子ペン情報による画像が表示されないように表示部３００を制御する制御部１７０と、を備える点である。
【００６０】
なお、上記各実施形態では、表示装置の具体例として、プロジェクターを挙げて説明を行っている。この場合、情報処理部１７はスクリーン３の表示制御を行うと共に、スクリーン３の表示制御を行う制御信号を、通信部１３を用いて外部装置であるＰＣ４、ＰＣ４Ａ、ＰＣ４Ｂ、ＰＣ４Ｃに送信している。そして、外部表示部の一例であるＰＣ４の表示部４１、ＰＣ４Ａの表示部４１Ａ、ＰＣ４Ｂの表示部４１Ｂ、ＰＣ４Ｃの表示部４１Ｃは、通信部１３、４２、４２Ａ、４２Ｂ、４２Ｃを介して送信された制御信号によって制御される。
また、表示装置は、上記説明したプロジェクターに限定されない。本発明は、画像を表示することができる表示装置であれば、如何なる表示装置に対しても適用可能であることはいうまでもない。例えば、表示装置は、タッチパネルを備えたディスプレイであってもよい。
例えば、表示装置がタッチパネルを備えるディスプレイ装置である場合、上記したスクリーン３は、タッチパネルを備えるディスプレイ装置自身が有しているタッチパネルディスプレイそのものとなる。この場合、タッチパネルを備えるディスプレイ装置内の情報処理部が自身の表示部であるタッチパネルディスプレイの表示制御を行うことになる。
【００６１】
また、記憶部１５に格納されているプログラム、記憶部４５に格納されているプログラム、又は記憶部５２に格納されているプログラムは、記録媒体で提供されてもよく、また、インターネット等のネットワークを介して提供されてもよい。記録媒体は、コンピュータ使用可能媒体又はコンピュータ可読媒体であって、磁気、光、電子、電磁気、赤外線などを用いて情報の記録又は読み取りが可能な媒体を含む。そのような媒体として、例えば、半導体メモリ、半導体または固体の記憶装置、磁気テープ、取外し可能なコンピュータディスケット、ランダムアクセスメモリ（ＲＡＭ（Random Access Memory））、読出し専用メモリ（ＲＯＭ（Read Only Memory））、磁気ディスク、光ディスク、光磁気ディスクなどがある。
【００６２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００６３】
１    プロジェクター
２、２００    電子ペン
３    スクリーン
４Ａ、４Ｂ、４Ｃ、４００，４０１、４０２、４０３    情報処理端末（ＰＣ）
５、５００    画像出力装置
７    無線ＬＡＮ
１１    投写部
１２    カメラ
１３、４２、４２Ａ、４２Ｂ、４２Ｃ、１３０    通信部
１４    映像入力部
１５、４５、４５Ａ、４５Ｂ、４５Ｃ，５２    記憶部
１６、４６、４６Ａ、４６Ｂ、４６Ｃ    操作部
１７、４３、４３Ａ、４３Ｂ、４３Ｃ、５３    情報処理部
４１、４１Ａ、４１Ｂ、４１Ｃ、３００    表示部
４４、４４Ａ、４４Ｂ、４４Ｃ、５１    映像出力部
１００    表示装置
１０１    ＨＤＭＩ入力端子
１０２    ミニＤ−Ｓｕｂ１５ｐｉｎ入力端子
１３０    通信部
１４１、１４２、・・・、１４ｎ    第１の入力部
１７０    制御部
１８０    第２の入力部
【図１】
2018112926.tif 000003
【図２】
2018112926.tif 000004
【図３】
2018112926.tif 000005
【図４】
2018112926.tif 000006
【図５】
2018112926.tif 000007
【図６】
2018112926.tif 000008
【図７】
2018112926.tif 000009
【図８】
2018112926.tif 000010
【図９】
2018112926.tif 000011
【図１０】
2018112926.tif 000012
【図１１】
2018112926.tif 000013
【図１２】
2018112926.tif 000014